(57)【要約】【課題】原稿載置台に原稿をセットする際の作業性を向上させ、さらに画像形成装置本体の転倒を防止することが可能な画像形成装置を提供する。【解決手段】画像形成装置本体４０にガイドレール３を設け、画像読取部１１にガイドレール３を移動するためのローラ２を設け、画像形成装置本体４０と原稿押圧板１２とを連結する連結レバー１を設け、原稿押圧板１２の開閉動作に連動して、画像読取部１１を画像形成装置正面に対して前後に移動させる。【選択図】　図２
2004093902.tif 000002
【特許請求の範囲】
【請求項１】
原稿を載置するための原稿台ガラスと、
前記原稿台ガラスに対して開閉可能に配置され、前記原稿台ガラス上に載置される原稿を押えるための原稿押圧板と、
前記原稿台ガラス上に載置された原稿を移動走査して読み取るための手段と、
を有する画像読取部を備えた画像形成装置において、
前記原稿押圧板の開閉動作に連動して、該原稿押圧板が前記原稿台ガラスに対して移動する移動方向の水平方向の成分に対して逆方向に、画像形成装置本体に対して前記画像読取部を移動させる移動手段を備えることを特徴とする画像形成装置。
【請求項２】
原稿を載置するための原稿台ガラスと、
前記原稿台ガラスに対して開閉可能に配置され、前記原稿台ガラス上に載置される原稿を押えるための原稿押圧板と、
前記原稿台ガラス上に載置された原稿を移動走査して読み取るための手段と、
を有する画像読取部を備えた画像形成装置において、
前記原稿押圧板の開閉動作に連動して、前記画像読取部を画像形成装置正面に対して前後に移動させる移動手段を備えることを特徴とする画像形成装置。
【請求項３】
原稿を載置するための原稿台ガラスと、
前記原稿台ガラスに対して開閉可能に配置され、前記原稿台ガラス上に載置される原稿を押えるための原稿押圧板と、
複数枚のシート原稿を載置して、該複数枚のシート原稿を１枚ずつ分離して前記原稿台ガラスの読取位置に向けて搬送する手段を有する原稿台と、
前記原稿台ガラス上に載置された原稿を移動走査して読み取り、あるいは、前記読取位置に静止した状態で前記原稿台から搬送されているシート原稿を読み取る手段と、
を有する画像読取部を備えた画像形成装置において、
前記原稿押圧板の開閉動作に連動して、前記画像読取部を画像形成装置正面に対して前後に移動させる移動手段を備えることを特徴とする画像形成装置。
【請求項４】
前記画像読取部の重心が、画像形成装置の重心より、画像形成装置正面に対して後方に位置していることを特徴とする請求項２または３に記載の画像形成装置。
【請求項５】
前記移動手段は、
前記原稿押圧板が開く動作に伴って、前記画像読取部を画像形成装置正面側に移動させ、
前記原稿押圧板が閉じる動作に伴って、前記画像読取部を画像形成装置正面に対して後方に移動させることを特徴とする請求項２乃至４のいずれか１項に記載の画像形成装置。
【請求項６】
前記原稿押圧板は、画像形成装置正面に対して後方に設けられた回動軸に回動自在に支持されて、画像形成装置正面側から後方へ移動することにより前記原稿台ガラスに対して開いた状態となることを特徴とする請求項２乃至５のいずれか１項に記載の画像形成装置。
【請求項７】
前記移動手段は、
画像形成装置と前記画像読取部との間に設けられ、該画像読取部を画像形成装置正面に対して前後方向に移動自在とする移動部材と、
前記原稿押圧板に設けられた第１の係合手段と、
画像形成装置本体に設けられて、前記第１の係合手段に係合する第２の係合手段と、
を備え、
前記原稿押圧板の開閉動作に伴う前記第１の係合手段の位置の変化が前記第２の係合手段に伝達されて、前記画像読取部は画像形成装置正面に対して前後方向に移動することを特徴とする請求項２乃至６のいずれか１項に記載の画像形成装置。
【請求項８】
前記移動手段は、
画像形成装置と前記画像読取部との間に設けられ、該画像読取部を画像形成装置正面に対して前後方向に移動自在とするローラと、
前記原稿押圧板に設けられたギヤと、
画像形成装置本体に設けられたラックと、
前記原稿押圧板の開閉動作に伴うギヤの回動動作を前記ラックに伝達するギヤ列と、
を備え、
前記原稿押圧板の開閉動作に伴う前記ギヤの回動動作が前記ギヤ列を介して前記ラックに伝達されて、前記画像読取部は画像形成装置正面に対して前後方向に移動することを特徴とする請求項２乃至７のいずれか１項に記載の画像形成装置。
【請求項９】
前記移動手段は、
画像形成装置本体と前記画像読取部との間に設けられ、該画像読取部を画像形成装置正面に対して前後方向に移動自在とする移動部材と、
画像形成装置正面に対して側部に設けられ、一端を画像形成装置本体に、他端を前記原稿押圧板にそれぞれ回動自在に支持されるレバー部材と、
を備え、
前記原稿押圧板の開閉動作に伴って前記レバー部材が画像形成装置本体に対して回動することにより、前記画像読取部が画像形成装置正面に対して前後方向に移動することを特徴とする請求項６に記載の画像形成装置。
【発明の詳細な説明】
【０００１】
【発明の属する技術分野】
本発明は、原稿の画像を読み取る画像読取部を備え、シート等の記録媒体上に画像を形成する、例えば複写機、プリンタ及びファクシミリ等の画像形成装置に関するものである。
【０００２】
【従来の技術】
従来、原稿の画像を読み取る画像読取装置を備えた画像形成装置において、画像読取部は、ユーザーによって原稿を原稿台ガラス上に載置し、画像読み取り後、原稿を取り除くという一連の動作を行うもので、載置固定した原稿の表面を画像読取部が走査して画像を読み取る画像読取装置や、走行中のシート原稿の画像を固定した画像読取部で読み取る画像読取装置などがあり、ユーザーの操作性の良い画像形成装置上部に配置されているものが多い。
【０００３】
一方、画像形成装置は、ユーザーが画像形成部で形成された画像を取り易くするために、画像形成装置上部に排出されるものや、画像形成装置正面に排出されるものなどがある。
【０００４】
また、画像形成装置は、装置の小型化がすすみ、より少ないスペースで設置できるようになった。装置の小型化が進むことで、プロセスカートリッジ着脱のために、画像形成装置の排紙面の一部を開口して、着脱したり、紙づまりの際に開口させるための開口部を画像形成装置の上部に設けたものなどがある。
【０００５】
【発明が解決しようとする課題】
しかしながら、上記のような従来技術の場合には、下記のような問題が生じていた。
【０００６】
１）画像形成部で排出された画像が画像形成装置上部に排出される場合、排紙積載部の積載スペースを最低限確保しておく必要があり、画像読取部がオペレータの位置から遠い位置に配置され、画像読取部がオペレータの位置より遠い位置に配置されることによって、オペレータから原稿台ガラス、及び、原稿載置台が遠ざかってしまい、原稿台ガラスに原稿を載置する操作性、及び、原稿載置台に原稿を載置する操作性が悪化する。
【０００７】
２）画像形成装置として小型プリンタをベースとして使用した場合、画像形成装置の重心より画像読取部の重心が装置の後方になる場合があり、装置全体の重量バランスが装置後方になるため、原稿押圧板を全開まで開いた時に、原稿押圧板の反動で、装置本体が後方に倒れる恐れがある。
【０００８】
３）原稿載置台と、原稿排紙トレイと、原稿送り装置を備えた画像読取装置を原稿押圧板に一体に設けた場合は、原稿押圧板を開く際に原稿送り装置などの大きさにより、装置本体の後方に余分な空間を確保しなければならない場合がある。
【０００９】
本発明は上記の従来技術の課題を解決するためになされたもので、その目的とするところは、原稿載置台に原稿をセットする際の作業性を向上させ、さらに画像形成装置本体の転倒を防止することが可能な画像形成装置を提供することにある。
【００１０】
【課題を解決するための手段】
上記目的を達成するために本発明にあっては、
原稿を載置するための原稿台ガラスと、
前記原稿台ガラスに対して開閉可能に配置され、前記原稿台ガラス上に載置される原稿を押えるための原稿押圧板と、
前記原稿台ガラス上に載置された原稿を移動走査して読み取るための手段と、
を有する画像読取部を備えた画像形成装置において、
前記原稿押圧板の開閉動作に連動して、該原稿押圧板が前記原稿台ガラスに対して移動する移動方向の水平方向の成分に対して逆方向に、画像形成装置本体に対して前記画像読取部を移動させる移動手段を備えることを特徴とする。
【００１１】
原稿を載置するための原稿台ガラスと、
前記原稿台ガラスに対して開閉可能に配置され、前記原稿台ガラス上に載置される原稿を押えるための原稿押圧板と、
前記原稿台ガラス上に載置された原稿を移動走査して読み取るための手段と、
を有する画像読取部を備えた画像形成装置において、
前記原稿押圧板の開閉動作に連動して、前記画像読取部を画像形成装置正面に対して前後に移動させる移動手段を備えることを特徴とする。
【００１２】
原稿を載置するための原稿台ガラスと、
前記原稿台ガラスに対して開閉可能に配置され、前記原稿台ガラス上に載置される原稿を押えるための原稿押圧板と、
複数枚のシート原稿を載置して、該複数枚のシート原稿を１枚ずつ分離して前記原稿台ガラスの読取位置に向けて搬送する手段を有する原稿台と、
前記原稿台ガラス上に載置された原稿を移動走査して読み取り、あるいは、前記読取位置に静止した状態で前記原稿台から搬送されているシート原稿を読み取る手段と、
を有する画像読取部を備えた画像形成装置において、
前記原稿押圧板の開閉動作に連動して、前記画像読取部を画像形成装置正面に対して前後に移動させる移動手段を備えることを特徴とする。
【００１３】
前記画像読取部の重心が、画像形成装置の重心より、画像形成装置正面に対して後方に位置していることも好適である。
【００１４】
前記移動手段は、
前記原稿押圧板が開く動作に伴って、前記画像読取部を画像形成装置正面側に移動させ、
前記原稿押圧板が閉じる動作に伴って、前記画像読取部を画像形成装置正面に対して後方に移動させることも好適である。
【００１５】
前記原稿押圧板は、画像形成装置正面に対して後方に設けられた回動軸に回動自在に支持されて、画像形成装置正面側から後方へ移動することにより前記原稿台ガラスに対して開いた状態となることも好適である。
【００１６】
前記移動手段は、
画像形成装置と前記画像読取部との間に設けられ、該画像読取部を画像形成装置正面に対して前後方向に移動自在とする移動部材と、
前記原稿押圧板に設けられた第１の係合手段と、
画像形成装置本体に設けられて、前記第１の係合手段に係合する第２の係合手段と、を備え、
前記原稿押圧板の開閉動作に伴う前記第１の係合手段の位置の変化が前記第２の係合手段に伝達されて、前記画像読取部は画像形成装置正面に対して前後方向に移動することも好適である。
【００１７】
前記移動手段は、
画像形成装置と前記画像読取部との間に設けられ、該画像読取部を画像形成装置正面に対して前後方向に移動自在とするローラと、
前記原稿押圧板に設けられたギヤと、
画像形成装置本体に設けられたラックと、
前記原稿押圧板の開閉動作に伴うギヤの回動動作を前記ラックに伝達するギヤ列と、を備え、
前記原稿押圧板の開閉動作に伴う前記ギヤの回動動作が前記ギヤ列を介して前記ラックに伝達されて、前記画像読取部は画像形成装置正面に対して前後方向に移動することも好適である。
【００１８】
前記移動手段は、
画像形成装置本体と前記画像読取部との間に設けられ、該画像読取部を画像形成装置正面に対して前後方向に移動自在とする移動部材と、
画像形成装置正面に対して側部に設けられ、一端を画像形成装置本体に、他端を前記原稿押圧板にそれぞれ回動自在に支持されるレバー部材と、を備え、
前記原稿押圧板の開閉動作に伴って前記レバー部材が画像形成装置本体に対して回動することにより、前記画像読取部が画像形成装置正面に対して前後方向に移動することも好適である。
【００１９】
【発明の実施の形態】
以下に図面を参照して、この発明の好適な実施の形態を例示的に詳しく説明する。ただし、この実施の形態に記載されている構成部品の寸法、材質、形状それらの相対配置などは、発明が適用される装置の構成や各種条件により適宜変更されるべきものであり、この発明の範囲を以下の実施の形態に限定する趣旨のものではない。
【００２０】
（第１の実施の形態）
図１及び図２は本発明の第１の実施の形態に係る画像読取装置を搭載した画像形成装置の概略断面図、図３及び図４は本実施の形態に係る画像形成装置の外観斜視図、図５は本実施の形態に係る画像形成装置の構成を説明するための図である。
【００２１】
まず、図５に示す画像読取装置を搭載した画像形成装置５０について、概略構成及び画像形成プロセスについて説明する。
【００２２】
コピーを行うことに先立ち、ユーザーは、原稿台ガラス２７上に原稿を載置し、操作パネル（不図示）に設けられたコピーボタンを押圧し、この押圧を受けてコピー動作を開始する。
【００２３】
画像読取部（画像読取装置）１１は、原稿台ガラス２７の下面側に沿って伸びるガイド部材であるガイド軸２６に案内されて、モータ２５やベルト２４などからなる駆動手段により、原稿台ガラス２７上載置された原稿を走査するために移動するキャリッジ３０を有している。
【００２４】
前述のコピー動作の開始により、まず、照射ランプ２８を点灯させ、原稿から反射した光は、結象手段（不図示）を介して、ＣＣＤ２９に入射する。このＣＣＤ２９は、主走査に伸びる撮像素子であり、入射した光を電気信号へと光電変換する。
【００２５】
光電変換された電気信号は、画像処理を経て、画像信号として画像記録手段であるメモリに一旦格納される。また、画像読取部は密着型イメージセンサを用いてもよい。
【００２６】
一方、画像を形成する画像形成装置本体４０は給紙カセット１６から給紙ローラによって１枚ずつ給送されたシート状記録媒体としての記録材１５は、搬送路Ｃに送り込まれ、レジ前搬送ローラ対１７によってレジストローラ対１８に搬送される。
【００２７】
このとき、レジストローラ対１８は回転を停止している。このため、記録材１５は斜行が矯正される。
【００２８】
そして、前述のメモリに格納された画像信号がレーザ書込部に入力され、レーザビームによる走査により静電潜像が、プロセスカートリッジ１０に内蔵された像担持体としての感光ドラム２０上に形成される。この静電潜像は、プロセスカートリッジ１０に内蔵された現像手段によって現像画像となる。
【００２９】
感光ドラム２０上に形成された現像画像の先端位置が感光ドラム２０と転写ローラ１９とが接触する転写ニップ部の位置に到達したときに、レジストローラ対１８の回転を制御して記録材１５の先端が転写ニップ部に搬送するようにタイミングをとる。なお、感光ドラム２０を内蔵したプロセスカートリッジ１０および転写ローラ１９などによって画像形成手段を構成している。
【００３０】
このようにして転写ニップ部において、記録材１５は感光ドラム２０上の現像画像が転写された後に、感光ドラム２０から分離させられて、搬送ベルト２１によって定着装置２２へ搬送される。
【００３１】
定着装置２２は、加熱部材と加圧ローラとで記録材１５を挟圧搬送し、記録材１５に転写されている未定着画像を定着させる。
【００３２】
トナー画像が定着された記録材１５は、案内路Ｄを経て、記録材排出ローラ対によって、記録材排出トレイ２３に排出される。
【００３３】
次に、本実施の特徴的な構成について説明する。
【００３４】
本実施の形態では、図１ないし図２に示すように、画像形成装置本体４０にガイドレール３を設け、画像読取部１１には、ガイドレール３を走査（移動）するための移動部材としてのローラ２が取付けられている。また、画像形成装置本体４０と画像読取部１１の原稿押圧板１２とを連結するようにレバー部材としての連結レバー１を設けている。
【００３５】
ここで、連結レバー１の両端部は、画像形成装置本体４０と、原稿押圧板１２とにそれぞれ回動自在に支持されている。また、原稿押圧板１２は、装置後方に設けられた回動軸に回動自在に設けられて、原稿台ガラス２７に対して開閉可能とされ、原稿台ガラス２７上に載置された原稿を押さえるものである。また、ガイドレール３、ローラ２、連結レバー１は、移動手段を構成している。また、画像読取部１１にガイドレール３を設け、画像形成装置本体４０にガイドレール３を走査（移動）するためローラ２を設けてもよく、ローラ２が独立して画像形成装置本体４０と画像読取部１１との間に設けられていてもよい。また、移動部材は、画像形成装置本体４０と画像読取部１１とのを相対的に移動させるものであれば、ローラに限るものではない。
【００３６】
このように本実施の形態の画像読取部１１と画像形成装置本体４０に対し、移動可能なガイドレール３、ローラ２、連結レバー１を配置することにより、原稿押圧板１２を開閉した際に、原稿押圧板１２の開閉動作に連動して、画像読取部１１が移動可能となる。
【００３７】
すなわち、原稿押圧板１２を開く動作（図２，４に示す矢印Ａ方向）に連動して、画像読取部１１が正面方向（図２，４に示す矢印Ｂ方向）に移動する。また、開いている原稿押圧板１２を閉じる場合には、その閉じる動作に連動して、画像読取部１１が後方に移動する。
【００３８】
また、図６および図７に示す画像読取部１１は、シート原稿を載置するための原稿載置台（不図示）と読み取られた後で排出されるシート原稿を載置するための原稿排紙トレイ１３とを備え、複数のシート原稿を一枚ずつ分離してシート原稿読取部に送り込む原稿送り装置１４を、静止原稿を押えるための原稿押圧板１２に一体で設け、原稿台ガラス２７上部に開閉可能に配置されるものであるが、このような場合にも、画像読取部１１と画像形成装置本体４０に対し、移動可能なガイドレール３、ローラ２、連結レバー１を配置することにより（図においてはガイドレール３、ローラ２のみ示している）、原稿押圧板１２を開閉した際に、原稿押圧板１２の開閉動作に連動して、画像読取部１１を移動可能とすることが可能となる。
【００３９】
このように本実施の形態によれば、画像読取装置を備えた複写機、プリンタ及びファクシミリ等の画像形成装置において、原稿押圧板１２の開閉動作に連動して、画像読取部１１が移動することによって、オペレータは、より近い位置で原稿台ガラス２７、及び、原稿載置台に原稿をセットすることができるため、原稿のセットミス等を防止することができる。
【００４０】
また、原稿押圧板１２の開閉動作に連動して画像読取部１１を移動させる場合に、装置全体の重量バランスを安定させる位置に移動させることができるため、原稿押圧板１２を開いた際、画像形成装置が後方に転倒する等の不具合を解消することができる。画像読取部１１の重心が、画像形成装置５０の重心より、画像形成装置正面に対して後方に位置して設けられている場合には、特に効果的である。
【００４１】
さらに、原稿押圧板１２、および原稿送り装置を有する原稿押圧板を開く際に必要となる装置後方の空間をなくすことができるので、画像形成装置を壁際に配置可能であり、装置本体の後方に余分な空間を確保する必要はなくなり、画像形成装置の設置スペースをより小さくすることが可能となる。
【００４２】
なお、本実施の形態では、原稿押圧板１２を画像形成装置の正面から後方（奥側）に開放されるものであるが、例えば画像形成装置正面に対して側方に開放するものであっても、原稿押圧板が原稿台ガラスの水平方向に対して移動する方向と逆方向に画像読取部を移動させれば、装置全体の重量バランスを安定させることが可能となる。すなわち、原稿押圧板の開閉動作に連動して、原稿押圧板が原稿台ガラスに対して移動する移動方向の水平方向の成分に対して逆方向に、画像形成装置本体に対して画像読取装置を移動させればよい。
【００４３】
（第２の実施の形態）
図８，９は本発明の第２の実施の形態に係る画像読取装置を備えた画像形成装置の概略断面図である。なお、第１の実施の形態と同様の構成部分については同一の符号を付して、その説明は省略する。
【００４４】
図８ないし図９において、画像形成装置本体４０にガイドレール３、係合手段としての移動ラック８を設け、画像読取部１１には、ガイドレール３を走査するための移動部材としてのローラ２、係合手段としての第一アイドラギア５，第二アイドラギア６，第三アイドラギア７が取付けられている。また、画像読取部１１の原稿押圧板１２に係合手段としてのギア４を設けている。
【００４５】
このように、画像読取部１１と画像形成装置本体４０に対し、移動可能なガイドレール３、ローラ２、ギア４、第一アイドラギア５、第二アイドラギア６、第三アイドラギア７、移動ラック８を配置することにより、原稿押圧板１２を開閉した際に、原稿押圧板１２に連動して、画像読取部１１が移動可能となる。
【００４６】
すなわち、原稿押圧板１２を開く動作（図９に示す矢印Ａ方向）に連動して、画像読取部１１が正面方向（図９に示す矢印Ｂ方向）に移動する。また、開いている原稿押圧板１２を閉じる場合には、その閉じる動作に連動して、画像読取部１１が後方に移動する。
【００４７】
また、図６および図７に示す画像読取部１１は、シート原稿を載置するための原稿載置台（不図示）と読み取られた後で排出されるシート原稿を載置するための原稿排紙トレイ１３とを備え、複数のシート原稿を一枚ずつ分離してシート原稿読取部に送り込む原稿送り装置１４を、静止原稿を押えるための原稿押圧板１２に一体で設け、原稿台ガラス２７上部に開閉可能に配置されるものであるが、このような場合にも、画像読取部１１と画像形成装置本体４０に対し、移動可能なガイドレール３、ローラ２、ギア４、第一アイドラギア５、第二アイドラギア６、第三アイドラギア７、移動ラック８を配置することにより、（図においてはガイドレール３、ローラ２のみ示している）、原稿押圧板１２を開閉した際に、原稿押圧板１２の開閉動作に連動して、画像読取部１１を移動可能とすることが可能となる。
【００４８】
なお、第一アイドラギア５、第二アイドラギア６、第三アイドラギア７、を介在させず、ギア４と移動ラック８とを係合させてもよい。
【００４９】
このように本実施の形態によれば、画像読取装置を備えた複写機、プリンタ及びファクシミリ等の画像形成装置において、原稿押圧板１２の開閉動作に連動して、画像読取部１１が移動することによって、オペレータは、より近い位置で原稿台ガラス２７、及び、原稿載置台に原稿をセットすることができるため、原稿のセットミス等を防止することができる。
【００５０】
また、原稿押圧板１２の開閉動作に連動して画像読取部１１を移動させる場合に、装置全体の重量バランスを安定させる位置に移動させることができるため、原稿押圧板１２を開いた際、画像形成装置が後方に転倒する等の不具合を解消することができる。画像読取部１１の重心が、画像形成装置５０の重心より、画像形成装置正面に対して後方に位置して設けられている場合には、特に効果的である。
【００５１】
さらに、原稿押圧板１２、および原稿送り装置を有する原稿押圧板を開く際に必要となる装置後方の空間をなくすことができるので、画像形成装置を壁際に配置可能であり、装置本体の後方に余分な空間を確保する必要はなくなり、画像形成装置の設置スペースをより小さくすることが可能となる。
【００５２】
なお、本実施の形態では、原稿押圧板１２を画像形成装置の正面から後方（奥側）に開放されるものであるが、例えば画像形成装置正面に対して側方に開放するものであっても、原稿押圧板が原稿台ガラスの水平方向に対して移動する方向と逆方向に画像読取部を移動させれば、装置全体の重量バランスを安定させることが可能となる。すなわち、原稿押圧板の開閉動作に連動して、原稿押圧板が原稿台ガラスに対して移動する移動方向の水平方向の成分に対して逆方向に、画像形成装置本体に対して画像読取装置を移動させればよい。
【００５３】
また、原稿押圧板が画像形成装置正面に対して側方に開放するものであっても、原稿押圧板１２が開く動作に連動して画像読取部１１を正面方向に移動させるように、係合手段を設けてもよい。
【００５４】
【発明の効果】
以上説明したように、本発明によれば、原稿載置台に原稿をセットする際の作業性を向上させ、さらに画像形成装置の転倒を防止することが可能な画像形成装置を提供することが可能となる。
【図面の簡単な説明】
【図１】本発明の第１の実施の形態に係る画像読取装置を備えた画像形成装置の概略断面図である。
【図２】本発明の第１の実施の形態に係る画像読取装置を備えた画像形成装置の概略断面図である。
【図３】本実施の第１の実施の形態に係る画像読取装置の外観斜視図である。
【図４】本実施の第１の実施の形態に係る画像読取装置の外観斜視図である。
【図５】画像形成装置の構成を説明するための概略断面図である。
【図６】原稿送り装置を原稿押圧板に一体で設けた画像読取部を備えた画像形成装置を示す概略断面図である。
【図７】原稿送り装置を原稿押圧板に一体で設けた画像読取部を備えた画像形成装置を示す概略断面図である。
【図８】本発明の第２の実施の形態に係る画像読取装置を備えた画像形成装置の概略断面図である。
【図９】本発明の第２の実施の形態に係る画像読取装置を備えた画像形成装置の概略断面図である。
【符号の説明】
１　連結レバー
２　ローラ
３　ガイドレール
４　ギア
５　第一アイドラギア
６　第二アイドラギア
７　第三アイドラギア
８　移動ラック
１０　プロセスカートリッジ
１１　画像読取部
１２　原稿押圧板
１３　排紙トレイ
１４　原稿送り装置
１５　記録材
１６　給紙カセット
１７　レジ前搬送ローラ対
１８　レジストローラ対
１９　転写ローラ
２０　感光ドラム
２１　搬送ベルト
２２　定着装置
２３　排出トレイ
２４　ベルト
２５　モータ
２６　ガイド軸
２７　原稿台ガラス
２８　照射ランプ
２９　ＣＣＤ
３０　キャリッジ
４０　画像形成装置本体
５０　画像形成装置
【図１】
2004093902.tif 000003
【図２】
2004093902.tif 000004
【図３】
2004093902.tif 000005
【図４】
2004093902.tif 000006
【図５】
2004093902.tif 000007
【図６】
2004093902.tif 000008
【図７】
2004093902.tif 000009
【図８】
2004093902.tif 000010
【図９】
2004093902.tif 000011